【手続補正書】
【提出日】平成21年7月17日(2009.7.17)
【手続補正１】
【補正対象書類名】明細書
【補正対象項目名】全文
【補正方法】変更
【補正の内容】
【書類名】            明細書
【発明の名称】      野菜収穫機
【特許請求の範囲】
【請求項１】隣接した左右の野菜（ｗ）条列の茎葉部（ｗ１）を一緒に挟持して斜め後上方へ搬送すると共にこの搬送中に左右の野菜（ｗ）条列の根部（ｗ２）を地中から同時に引き抜くものとした挟持搬送装置（３）と、このように引き抜かれた後の２条分の野菜（ｗ）の茎葉部（ｗ１）の下部を前記挟持搬送装置（３）による搬送中に上下に切り離すものとした茎葉切断装置（４）とを備えた野菜収穫機であって、前記茎葉切断装置（４）は各条列の野菜（ｗ）の茎葉部（ｗ１）を各条列に分別した状態で後向き特定傾斜方向へ案内する左右一対の誘導案内路（１９ｂ）（１９ｂ）と、これら誘導案内路内を移動されている２条分の茎葉部（ｗ１）を切断するカッタ（２０）とで形成し、この際、前記左右一対の誘導案内路（１９ｂ）（１９ｂ）は後方へ向かうに伴って漸次に離反させるように配置したことを特徴とする野菜収穫機。
【請求項２】隣接した左右の野菜（ｗ）条列の茎葉部（ｗ１）を一緒に挟持して斜め後上方へ搬送すると共にこの搬送中に左右の野菜（ｗ）条列の根部（ｗ２）を地中から同時に引き抜くものとした挟持搬送装置（３）と、このように引き抜かれた後の２条分の野菜（ｗ）の茎葉部（ｗ１）の下部を前記挟持搬送装置（３）による搬送中に上下に切り離すものとした茎葉切断装置（４）とを備えた野菜収穫機であって、前記茎葉切断装置（４）は各条列の野菜（ｗ）の茎葉部（ｗ１）を各条列に分別した状態で後向き特定傾斜方向へ案内する左右一対の誘導案内路（１９ｂ）（１９ｂ）と、これら誘導案内路内を移動されている２条分の茎葉部（ｗ１）を切断するカッタ（２０）とで形成すると共に、前記左右一対の誘導案内路（１９ｂ）（１９ｂ）を後方へ向かうに伴って漸次に離反させるように配置したものとなし、さらにカッタ（２０）の上側近傍箇所に前記左右の誘導案内路（１９ｂ）（１９ｂ）内を移動される茎葉部（ｗ１）の下部に後向き送り力を付与するものとした茎葉下部補助送り装置（１７）を設けたことを特徴とする野菜収穫機。
【請求項３】隣接した左右の野菜（ｗ）条列の茎葉部（ｗ１）を一緒に挟持して斜め後上方へ搬送すると共にこの搬送中に左右の野菜（ｗ）条列の根部（ｗ２）を地中から同時に引き抜くものとした挟持搬送装置（３）と、この挟持搬送装置（３）の前側に２条分の各野菜（３）条列の茎葉部（ｗ１）を分草して挟持搬送装置（３）へ向け送り出すものとした分草装置（１）と、前記挟持搬送装置（３）により引き抜かれた後の２条分の野菜（ｗ）の茎葉部（ｗ１）の下部を前記挟持搬送装置（３）による搬送中に上下に切り離すものとした茎葉切断装置（４）とを備えた野菜収穫機であって、前記茎葉切断装置（４）は各条列の野菜（ｗ）の茎葉部（ｗ１）を各条列に分別した状態で後向き特定傾斜方向へ案内する左右一対の誘導案内路（１９ｂ）（１９ｂ）と、これら誘導案内路内を移動されている２条分の茎葉部（ｗ１）を切断するカッタ（２０）とで形成し、この際、前記左右一対の誘導案内路（１９ｂ）（１９ｂ）を後方へ向かうに伴って漸次に離反させるように配置し、また分草装置（１）の巾中央箇所と左右一対の誘導案内路（１９ｂ）（１９ｂ）の前端間中央箇所とを前部が地面に近接し後部が後上がり状となされた茎葉下部分草部材（２４ｃ）で結合したことを特徴とする野菜収穫機。
【請求項４】カッタ（２０）が特定方向へ回転駆動される円盤体であると共に、平面視で一つの誘導案内路（１９ｂ）の巾（ｂ１）内に位置するカッタ（２０）の外周縁の回転方向が斜め後方へ向かうものとなるその誘導案内路（１９ｂ）の上側箇所でカッタ（２０）の近傍となる箇所に、この案内路（１９ｂ）に案内された茎葉部（ｗ１）をその切断時に受け止めるための茎葉受け部材（ｋｓ）を設けたことを特徴とする請求項１〜３の何れかに記載の野菜収穫機。
【請求項５】一枚の板部材に左右一対の誘導案内路（１９ｂ）（１９ｂ）を形成された茎葉誘導案内体（１９）を備えていることを特徴とする請求項１〜４の何れかに記載の野菜収穫機。
【請求項６】一枚の板部材に左右一対の切欠溝（ｋｍ）（ｋｍ）を平面視後拡がりのハ字状配置に形成し、これら切欠溝の左右側縁近傍の板部材下面箇所に合成樹脂材又はその相当品からなる摺らし板（１９ａ）を付設したことを特徴とする野菜収穫に使用される茎葉誘導案内体を備えていることを特徴とする請求項１〜４の何れかに記載の野菜収穫機。
【発明の詳細な説明】
【０００１】
【発明の属する技術分野】本発明は、マルチ栽培された玉葱や蕪等の根菜類でも収穫し得るものとした野菜収穫機とこれに使用される茎葉誘導案内体に関する。
【０００２】
【従来の技術】隣接した左右の野菜条列の茎葉部を一緒に挟持して斜め後上方へ搬送すると共にこの搬送中に左右の野菜条列の根部を地中から同時に引き抜くものとした挟持搬送装置と、このように引き抜かれた後の２条分の野菜の茎葉部の下部を前記挟持搬送装置による搬送中に上下に切り離すものとした茎葉切断装置とを備えた野菜収穫機で、マルチフィルムで被われてない畝で栽培された、所謂、無マルチ栽培の玉葱等を収穫するものは存
在している。
【０００３】
【発明が解決しようとする課題】従来の収穫機では、マルチフィルムで被われた畝で栽培された、所謂、マルチ栽培の玉葱等を収穫することは予定していないのであり、この収穫機を使用してマルチ栽培された玉葱を収穫すると、玉葱の根部を被ったマルチフィルムが茎葉部の切断機構周辺等に絡み付いて直ちに収穫不能となってしまうのである。
【０００４】本発明はこのような問題点を解消せんとするもので、即ち、マルチ栽培された玉葱等を抜き上げて茎葉部を切断分離させる処理を機械的且つ円滑に行うものとした野菜収穫機を提供すると共に、この収穫機に使用される茎葉誘導案内体を提供することを目的とする。
【０００５】
【課題を解決するための手段】上記目的を達成するため、請求項１に記載した発明では、隣接した左右の野菜条列の茎葉部を一緒に挟持して斜め後上方へ搬送すると共にこの搬送中に左右の野菜条列の根部を地中から同時に引き抜くものとした挟持搬送装置と、このように引き抜かれた後の２条分の野菜の茎葉部の下部を前記挟持搬送装置による搬送中に上下に切り離すものとした茎葉切断装置とを備えた野菜収穫機であって、前記茎葉切断装置は各条列の野菜の茎葉部を各条列に分別した状態で後向き特定傾斜方向へ案内する左右一対の誘導案内路と、これら誘導案内路で案内される２条分の茎葉部を切断するカッタとで形成し、この際、前記左右一対の誘導案内路は後方へ向かうに伴って漸次に離反させるように配置する。
【０００６】この発明によれば、カッタと地面との間には誘導案内路が存在するのみとなってカッタは地面に近接されるものとなり、従って玉葱等はその収穫時に高い位置まで上昇させないで済み、このことがマルチフィルムで被われた玉葱等の抜き上げや茎葉切断処理を可能となす。そして、各誘導案内路がその対応する一つの条列の茎葉部を特定方向へ案内するため、茎葉部は挟持搬送装置の搬送作用との関係で緊張状態となされてその姿勢を正確に画一化され予定高さ位置をカッタにより正確に切断される。そして左右一対の誘導案内路は後方へ向かう程、離反しているため、誘導案内路の前端では挟持搬送装置で同時に挟持された２条分の茎葉部が誘導案内路周辺部材と無駄な衝突を起こすことなくその対応する誘導案内路内に送り込まれ、一方、誘導案内路の後端寄り位置では２条分の茎葉部が左右の誘導案内路の案内作用により各条列毎に左右に大きく２分されて左右の各条列間の根部の衝突や接触を阻止する。この際の衝突や接触の阻止は根部の損傷防止や、カッタによる茎葉部の切断処理の精度を向上させる上で寄与する。
【０００７】請求項２に記載した発明では、隣接した左右の野菜条列の茎葉部を一緒に挟持して斜め後上方へ搬送すると共にこの搬送中に左右の野菜条列の根部を地中から同時に引き抜くものとした挟持搬送装置と、このように引き抜かれた後の２条分の野菜の茎葉部の下部を前記挟持搬送装置による搬送中に上下に切り離すものとした茎葉切断装置とを備えた野菜収穫機であって、前記茎葉切断装置は各条列の野菜の茎葉部を各条列に分別した状態で後向き特定傾斜方向へ案内する左右一対の誘導案内路と、これら誘導案内路内を移動されている２条分の茎葉部を切断するカッタとで形成すると共に、前記左右一対の誘導案内路を後方へ向かうに伴って漸次に離反させるように配置したものとなし、さらにカッタの上側近傍箇所に前記左右の誘導案内路内を移動される茎葉部の下部に後向き送り力を付与するものとした茎葉下部補助送り装置を設ける。
【０００８】この発明によれば、各誘導案内路に茎葉部を案内されて後方へ移動する玉葱等が誘導案内路との間の抵抗で後方移動を妨げられる傾向となっても、茎葉下部補助送り装置がその茎葉部に送り力を付与してその後方への移動を適当速度で確実に行わせ、茎葉切断処理の精度を向上させる。
【０００９】請求項３に記載した発明では、隣接した左右の野菜条列の茎葉部を一緒に挟持して斜め後上方へ搬送すると共にこの搬送中に左右の野菜条列の根部を地中から同時に引き抜くものとした挟持搬送装置と、この挟持搬送装置の前側に２条分の各野菜条列の茎葉部を分草して挟持搬送装置へ向け送り出すものとした分草装置と、前記挟持搬送装置により引き抜かれた後の２条分の野菜の茎葉部の下部を前記挟持搬送装置による搬送中に上下に切り離すものとした茎葉切断装置とを備えた野菜収穫機であって、前記茎葉切断装置は各条列の野菜の茎葉部を各条列毎に分別した状態で後向き特定傾斜方向へ案内する左右一対の誘導案内路と、これら誘導案内路内を移動されている２条分の茎葉部を切断するカッタとで形成し、この際、前記左右一対の誘導案内路を後方へ向かうに伴って漸次に離反させるように配置し、また分草装置の巾中央箇所と左右一対の誘導案内路の前端間中央箇所とを前部が地面に近接し後部が後上がり状となされた茎葉下部分草部材で結合した構成となす。
【００１０】この発明によれば、分草装置が左右で隣接した２条分の野菜条列の茎葉部を起立状態となして挟持搬送装置に挟持させ、その後の野菜処理の精度を向上させる。そして、抜き上げられた各条列の玉葱等が誘導案内路に達するまで、茎葉下部分草部材がそれら玉葱等を各条列単位の左右に分別した状態を確実に保持し、また茎葉下部分草部材の前端部が分草装置に固定されるため、茎葉下部分草部材の装着構造が簡易で剛性の大きいものとなる。
【００１１】また請求項４に記載したように、カッタが特定方向へ回転駆動される円盤体であると共に、平面視で一つの誘導案内路の巾内に位置するカッタの外周縁の回転方向が斜め後方へ向かうものとなるその誘導案内路の上側箇所でカッタの近傍となる箇所に、この案内路に案内された茎葉部をその切断時に受け止めるための茎葉受け部材を設けた構成となす。これによれば、誘導案内路内の茎葉部がカッタによる切断時にその回転方向へ逃げるのを、茎葉受け部材が受け止めてその茎葉部の切断の性能及び精度を向上させる。
【００１２】また請求項５に記載したように、一枚の板部材に左右一対の誘導案内路を形成された茎葉誘導案内体を備えている構成となす。これによれば、誘導案内路が上下寸法の小さいものとなり、また構造簡易でしかも水平方向の剛性の大きいものとなる。
【００１３】さらに上記茎葉誘導案内体は、請求項６に記載したように、一枚の板部材に左右一対の切欠溝を平面視後拡がりのハ字状配置に形成し、これら切欠溝の左右側縁近傍の板部材下面箇所に合成樹脂材又はその相当品からなる摺らし板を付設した構成となす。これによれば、茎葉部が誘導案内路を後方移動する際、合成樹脂等からなる摺らし板がその軟らかさや、摩擦係数の低さにより、玉葱等の品質を損ねることなく玉葱等の根部の上面に当接し、その後方移動を円滑となす。また合成樹脂が摩耗したとき、その交換が容易に行えるものとなり、また根部の接する範囲の摺らし板のエッジは、その材質が合成樹脂であるが故に容易に円弧状に加工されるのであり、また合成樹脂の摺らし板は軽量化に寄与するものである。
【００１４】
【発明の実施の形態】以下、本発明の一実施例を説明する。図１は本発明に係る野菜収穫機の側面図、図２は前記収穫機の平面図、図３は前記収穫機の正面図、図４は前記収穫機の動力系統図、図５は前記収穫機の縦向き引起こし装置の下部を示す側面視作用説明図、図６は前記縦向き引起こし装置のタイン関連部に係り、Ａは図５のｘ−ｘ部を示す図で、ＢはＡの側面図、図７は前記収穫機の側面視説明図、図８は前記収穫機の茎葉切断装置周辺を示す平面図、図９は前記収穫機の左右端側のフィルム案内押さえ棒周辺を示す側面図、図１０は前記収穫機の中央のフィルム案内押さえ棒周辺を示す側面図、図１１は前記収穫機の茎葉誘導案内体の周辺を示す平面図、図１２は前記収穫機のフィルム案内押さえ棒の作用状況を示す正面図、図１３は前記収穫機によるマルチフィルムの処理状況を示す平面図である。
【００１５】図１〜図３に示すように、本発明に係る野菜収穫機は分草装置１、掻込み装置２、挟持搬送装置３及び茎葉切断装置４を具備した野菜処理部Ａと、この野菜処理部Ａの各部を支持した走行車両部Ｂからなっている。
【００１６】先ず、分草装置１について図１〜図６を参照して説明すると、次のとおりである。即ち、３つの縦向き引起こし装置５が機体左右方向の一定間隔配置で設けてある。各縦向き引起こし装置５は特定縦面上に沿わせた楕円軌道上を周回移動される無端状のチェーン６を備え、このチェーン６の一定間隔箇所のそれぞれに樹脂一体成形品となされたタイン７を結合リンク８及び支点軸９を介して起伏変位自在に装着したものとなされている。このチェーン６の上下部は装置フレーム５ａに軸着されたスプロケット１０ａ、１０ｂに掛け回されている。
【００１７】各タイン７は装置フレーム５ａの後縁ａをチェーン６と共に下降する期間中、倒伏姿勢となり、最下位置ｐ近傍に達したとき、図示しないガイド部の案内作用で起立変位を開始し、最下位置ｐでは完全な起立姿勢となってスプロケット１０ｂ回りの円弧ｂを描いて前上方へ向けて移動され、続いてガイド部１１の案内作用で起立姿勢を保持されつつ装置フレーム５ａの前縁ｃに沿って斜め後上方へ移動され、最上位置近傍に達したとき、倒伏変位を開始し、スプロケット１０ａ回りを移動しつつ完全な倒伏姿勢となった後、再び装置フレーム５ａの後縁ａに沿って下降するものとなされている。
【００１８】各タイン７には弾性変形可能なようにゴム材若しくはゴム相当材で形成されたタインキャップ体１２が延長状且つ外嵌状に係着してある。この際、タインキャップ体１２の内面には２つの突起１２ａ、１２ｂが設けてあり、タインキャップ体１２の係着状態では前記突起１２ａ、１２ｂがタイン７のリブ７ａ、７ｂに係止される。
【００１９】本例では全てのタイン７にタインキャップ体１２を係着し、しかも何れのタインキャップ体１２も同一大きさとなされているが、これに限定するものではなく、例えば、多数のタイン７の一個置き若しくは複数個置きにタインキャップ体１２を係着したり、また多数のタインキャップ体１２を長短に変化させて配置したり、また多数のタインキャップ体１２を比較的硬いものと比較的軟らかいものとの複数種類となして配列することも差し支えない。
【００２０】図２に示すように、掻込み装置２は左右一対の横向き掻込み要部１３、１３からなるもので、各掻込み要部１３の係止突起１３ａを掻込み装置２の先端部外方からこの装置２の中央箇所へ向けて周回移動させ、続いて斜め上方へ移動させることにより、縦向き引起こし装置５の引き起こした茎葉部ｗ１をこの装置２の下部中央へ掻き込んで斜め上方へ押し上げる構成となしてある。
【００２１】挟持搬送装置３は左右一対の横向き挟持搬送要部１４、１４を備えており、各引抜き搬送要部１４は前後配置された一対のプーリに搬送ベルト１５を掛け回して形成したものであり、この際、これら要部１３、１３の搬送ベルト１５、１５を対向状に配置して搬送ベルト１５、１５間を分草装置１の巾中央に合致させ、これを挟持搬送経路ｋとなすと共に、この搬送経路ｋで搬送ベルト１５、１５が後方へ移動するものとなす。
【００２２】この挟持搬送装置３は、掻込み装置２の掻き込んだ茎葉部ｗ１の比較的上部を挟持搬送経路ｋの搬送始端に受け取り、続いて搬送ベルト１５で挟持して斜め後上方へ搬送し、この搬送過程で、図７等に示す掘起こし刃１６がこの搬送に先行して膨軟とした畝Ｕ上の根部ｗ２を土中から引き抜く構成となしてある。挟持搬送装置３の後部にはこの搬送装置３の搬送した茎葉部ｗ１を受け継いで畝間溝ｎ内へ落下させるものとした茎葉放出装置３ａが設けてあり、また機体特定位置にはこの茎葉放出装置３ａから放出された茎葉部ｗ１を地面に導くためのゴム板等からなる茎葉放出ガイド３ｂが吊設されている。
【００２３】搬送ベルト１５、１５の下方には図７及び図８に示すように茎葉下部補助送り装置１７が設けてある。この下部補助送り装置１７は左右一対の下部送り要部１７ａ、１７ａからなり、これの送り方向の上り傾斜は挟持搬送装置３のそれよりも緩やかになすと共に、前後一対の端部プーリに多数の突起１８ａの列設された無端状の下部送りベルト１８を掛け回して形成する。この際、一対の下部送りベルト１８、１８は対向させ、これらベルト１８、１８間を茎葉下部の送り経路ｋ１となすと共に、この送り経路ｋでこれらベルト１８、１８が後方へ移動するものとなす。
【００２４】図３、図７、図８及び、図９〜図１２等に示すように、茎葉切断装置４は挟持搬送装置３の前部下方で茎葉下部補助送り装置１７の下側近傍に設けてあって、茎葉下部補助送り装置１７に概ね沿わせた茎葉誘導案内体１９と、この茎葉誘導案内体１９の後部上側に水平向きに装着したカッタ２０とを備えてなる。
【００２５】この際、茎葉誘導案内体１９は隣接した左右の野菜条列Ｒ１、Ｒ２の茎葉部ｗ１、ｗ１が上下方向へ通過するようになされ且つその根部ｗ２、ｗ２が上方へ通り抜けることのできない程度の巾を有する二つの誘導案内路１９ｂ、１９ｂを形成したものとなすのであって、さらに具体的には一枚の板部材に左右一対の切欠溝ｋｍ、ｋｍを平面視後拡がりのハ字状配置に形成し、これら切欠溝ｋｍ、ｋｍの左右側縁近傍の板部材下面箇所に合成樹脂材又はその相当品からなる摺らし板１９ａ、１９ａ、１９ａ（図１１中に仮想線で示す）を付設した構成となす。
【００２６】この際、各誘導案内路１９ｂの巾ｂ２は凡そ２５ｍｍ〜４０ｍｍ程度となす。この巾ｂ２が小さすぎると、茎葉部ｗ１の後方への円滑な案内作用が得られず、逆に広すぎると、正確な案内作用が得られないほか、根部の過度な持ち上がりが生じるのである。
【００２７】また左右一対の各誘導案内路１９ｂ、１９ｂの左右の前後向き側縁のうち他方の誘導案内路１９ｂの存在する側である前後向き側縁ｂ２、ｂ２間の誘導案内路１９ｂ、１９ｂ前端位置での距離Ｌ３は実際上３０ｍｍ〜４０ｍｍ程度となされる。しかし、これに限定するものではなく、この距離Ｌ３の上限は８０ｍｍ程度となすのがよく、これよりも大きくすると、挟持搬送装置３が左右の条列Ｒ１、Ｒ２の茎葉部ｗ１、ｗ１を茎葉挟持開始位置で挟持するとき、左右の条列Ｒ１、Ｒ２の茎葉部ｗ１、ｗ１はその挟持作用により近接されるが、このとき左右の条列Ｒ１、Ｒ２の玉葱ｗ、ｗ等が左右一対の誘導案内路１９ｂ、１９ｂの相互間部位ｐ１と無駄な衝突を繰り返すものとなる。そして、この距離Ｌ３の下限は特に存在しないのであって、左右の誘導案内路１９ｂ、１９ｂが区分され適当の強度が得られれば殆どゼロであっても差し支えないものである。
【００２８】一方、左右一対の各誘導案内路１９ｂ、１９ｂのカッタ２０の切断位置での巾中心間距離Ｌ２は凡そ１００ｍｍ〜１３０ｍｍ程度となされる。ここで、この距離Ｌ２が１３０ｍｍよりも大きいと、装置の大型化を招いたり茎葉部ｗ１の切断時の垂直線に対するその横傾斜が過度に大きくなってその切断精度が損なわれるようになり、一方この距離Ｌ２が１００ｍｍよりも小さくなると、左右条列Ｒ１、Ｒ２の根部Ｗ２、ｗ２の衝突や接触が生じ易くなり、それぞれの玉葱ｗ、ｗ等の姿勢がまちまちとなってその切断精度が損なわれ、根部の損傷が生じるようになる。
【００２９】カッタ２０は図示例では外周縁に鋸刃を形成された円盤刃となすと共に、縦軸２０ａ回りの矢印方向ｓへ回転駆動され、前記誘導案内路１９ｂ、１９ｂの最後部へ向かう茎葉部ｗ１をその下部で根部ｗ２から切り離すものとなす。
【００３０】このカッタ２０はこれの支持位置を斜め後上方へ位置変更操作し得るものとした図示しない支持手段を介して固定され、この支持手段の位置変更によりその高さを変化させて茎葉部ｗ１の切断位置を調整するものとなされている。このカッタ２０の高さは例えば、玉葱ｗが早生種の場合は根部ｗ２側に２．５ｃｍ〜３．５ｃｍ程度の長さの茎葉部ｗ１が残るように決定され、また玉葱ｗを掛け吊り貯蔵するときは２０ｃｍ程度の茎葉部ｗ１が根部ｗ２側に残るように決定され、またコンテナ貯蔵するときは８ｃｍ〜１０ｃｍ程度の茎葉部ｗ１が根部ｗ２側に残るように決定される。
【００３１】さらに、平面視で一つの誘導案内路１９ｂの巾内に位置するカッタ２０の外周縁の回転方向が斜め後方へ向かうものとなるその誘導案内路１９ｂの上側箇所でカッタ２０の近傍となる箇所には、この案内路１９ｂに案内された茎葉部ｗ１をその切断時に受け止めるための茎葉受け部材ｋｓを設ける。図示例ではこの茎葉受け部材ｋｓは支持部ｋｓ１を介して茎葉誘導案内体１９と同体状にボルト固定されている。上記カッタ２０の形式は適宜に変更して差し支えないもので、例えば、円盤刃を縦軸２０ａ回りの左右へ繰り返し揺動させるものとか、バリカン刃等となすこともできる。
【００３２】前記掘起こし刃１６は土中を進むものとした水平状の刃部１６ａとこの刃部１６ａを支持する縦向きアーム部１６ｂとを備えたもので、挟持搬送装置３の搬送始端下方にその刃部１６ａが位置するように配置され、縦向きアーム部１６ｂの長さ途中を横向き軸２１を介して機体固定部（車両フレーム２２）に支持させてある。この掘起こし刃１６は動力により横向き軸２１回りへ揺動される構成となし、また縦向きアーム部１６ｂは収穫中の野菜ｗの条列Ｒ１、Ｒ２とこれらの条列に隣接した未収穫野菜ｗの条列Ｒ３との間に位置させると共に、刃部１６ａは収穫中の２条分の野菜ｗの条列Ｒ１、Ｒ２の下方の土を同時に膨軟化させるものとなす。
【００３３】上記縦向きアーム部１６ｂの一部で前記横向き軸２１よりも下方箇所には図示しない支持手段を形成し、この支持手段を介して円盤状の切刃体２３が側面を前後方向の縦向きとなされ回転自在に装着されている。この切刃体２３は外周囲を先鋭状の鋸刃となされる。
【００３４】図１〜図３、図８、図９、図１０及び図１３に示すように上記分草装置１の各縦向き引起こし装置５の下端部近傍には畝Ｕを被ったマルチフィルムｍを案内し押さえるためのフィルム案内押さえ棒２４ａ、２４ｂ、２４ｃが設けてある。これらフィルム案内押さえ棒２４ａ、２４ｂ、２４ｃは収穫している野菜条列Ｒ１、Ｒ２の左右両側部の畝Ｕを被っているマルチフィルムｍ部分を各縦向き引起こし装置５の下端部から挟持搬送装置３の茎葉挟持開始位置までの間でのみ地面に近接させるように押圧するものとなしてある。
【００３５】左右端側のフィルム案内押さえ棒２４ａ、２４ｂは左右対称構造になしてあって、最右端側のものについて説明すると、図９に示すように縦向き引起こし装置５の装置フレーム５ａに縦向き支持板ｅを長孔と固定ボルトにより高さ変更調整自在に固定し、この支持板ｅの下端部からフィルム案内押さえ棒２４ａを後方へ向けて延出させている。図９中、仮想線ｋａは縦向き支持板ｅの位置をその長孔の範囲内で下方へ移動させてフィルム案内押さえ棒２４ａの高さを下げた状態を示す。
【００３６】フィルム案内押さえ棒２４ａ、２４ｂは機体進行中にマルチフィルムｍを円滑にこれの後部下面側へ案内させるため前部を前上がりの円弧状部ｇ１となし、且つ、タイン７及びタインキャップ１２による茎葉部ｗ１の掬い上げを安定的となすため、この円弧状部ｇ１を、タインキャップ１２の先部がマルチフィルムｍを下方へ押圧する範囲近傍に位置させると共に、最下部ｇ２をなす直状部を、タインキャップ１２の先部がマルチフィルムｍの押圧を開始する箇所に位置させている。そして、左右何れのフィルム案内押さえ棒２４ａ、２４ｂの後端部ｇ３もマルチフィルムｍとの局部的な接触を避けるため後方へ向け反り上げるようになされている。この際、フィルム案内押さえ棒２４ａの後端は挟持搬送装置３の茎葉挟持開始位置よりも前方でしかも切刃体２３の前縁の側方近傍に位置させて切刃体２３によるマルチフィルムｍの分断を的確に行えるようになし、またフィルム案内押さえ棒２４ｂの後端は挟持搬送装置３の茎葉挟持開始位置よりも前方であればよいのであるが、構造の対称性を確保するためフィルム案内押さえ棒２４ａの後端と同一の前後位置となす。
【００３７】中央のフィルム案内押さえ棒２４ｃは茎葉下部分草部材と兼用するもので、図１０に示すように縦向き引起こし装置５の装置フレーム５ａに縦向き支持板ｅ１をボルトにより固定し、この支持板ｅ１の下端部から後方へ向けて延出させ、その後端を茎葉誘導案内体１９の左右の誘導案内路１９ｂ、１９ｂの前端の相互間部位ｐ１にボルト固定している。このフィルム案内押さえ棒２４ｃは前記フィルム案内押さえ棒２４ａの場合に準じてマルチフィルムｍを地面に近接させるように押さえる最下部ｇｋ２と、この最下部ｇｋ２の前方に連続して形成された前上がり状の円弧状部ｇｋ１とを有し、最下部ｇｋ２の後方に連続して最下部ｇｋ２と概略同一高さで後方へ向かわせた最下部延長部ｇ４とを備えるほか、最下部ｇｋ２又は最下部延長部ｇ４から斜め後上方へ向かうものとした傾斜部ｇｋ３を有するものとなされる。そして、主要棒部材ｈの長さ途中からは横側分岐棒ｇ５を斜め後下方且つ横方へ向かわせ続いて最下部ｇｋ２と概略同一高さで後方へ向かわせている。この際、円弧状部ｇｋ１、最下部ｇｋ２、最下部延長部ｇ４及び横側分岐棒ｇ５が主にフィルム案内押さえ機能を発揮し、また傾斜部ｇｋ３が主に茎葉下部分草機能を発揮する。
【００３８】上記フィルム案内押さえ棒２４ａ、２４ｂ、２４ｃのそれぞれの縦向き支持板ｅ、ｅ１にはその対応する円弧状部ｇ１、ｇｋ１に関連させて図９、図１０に示すような円形フィルム案内体２４１を横向き軸２４２回りの回転自在に設け、この円形フィルム案内体２４１が機体の進行中に円弧状部ｇ１、ｇｋ１に先んじてマルチフィルムｍに接して回転しつつこれを下方へ押さえ込むようになしてある。この円形フィルム案内体２４１は必ず設けなければならないものではなく省略しても差し支えないものである。
【００３９】図７、図８及び図１３に示すように、茎葉切断装置４の後方にはマルチ集束機構が形成してある。このマルチ集束機構は走行車両部Ｂの左側部分に装着された三角枠状の集束ロッド２５と、このロッド２５より後方で茎葉切断装置４の真後ろの特定位置に設けられた集束ローラ２６とを備えている。
【００４０】集束ロッド２５は機体の進行中、これの対応する畝肩部を被覆したマルチフィルムｍと畝肩部をなす土面との間に進入してマルチフィルムｍを連続的に畝肩部から剥がすものであり、また集束ローラ２６は集束ロッド２５で剥がされ切刃体２３で巾方向を二分されたマルチフィルムｍをその巾が漸次狭まるように支持し機体の進行に伴って後方へ狭巾状となして送り出し、収穫跡の畝Ｕ上に降下させるものである。
【００４１】図１〜図３に示すように、走行車両部Ｂは左右一対の走行車輪２７、２７、これに支持される車両フレーム２２、この車両フレーム２２の前部を支持するためのゲージ輪２８、車両フレーム２２の後部に固定されたエンジン２９、及び、エンジン２９の後方へ張り出させた操縦ハンドル３０を備えている。
【００４２】エンジン２９の下部寄り側部にミッション３１が設けられ、このミッション３１及びエンジン２９の下側に左右向きの伝動ケース３２が設けられている。
この際、伝動ケース３２のゲージ輪２８側でない側の一部箇所を左右方向の伸縮可能部３３となし、この伸縮可能部３３を伸縮させるための操作機構３４を設ける。そして、伝動ケース３２の両端部にはファイナルケース３５、３５が設けてあり、このファイナルケース３５の先端部に走行車輪２７、２７が装着されている。
【００４３】ゲージ輪２８は車両フレーム２２と同体に固定された傾斜状支持筒部３６の下端に回転自在に軸着されており、傾斜状支持筒部３６の上部と操縦ハンドル３０との間に回転操作ハンドル３７が架設されている。このハンドル３７の回転操作により傾斜状支持筒部３６の長さが変化して、車両フレーム２２に対するゲージ輪２８の高さが変化されるものとなされている。
【００４４】エンジン２９の動力伝達系統は次のようになされている。即ち、図４に示すように、エンジン２９の回転をミッション３１に伝達させ、次にミッション３１から左右向きの伝動ケース３２、ファイナルケース３５、３５及び操向クラッチ３８、３８を経て走行車輪２７、２７に伝達させる。
【００４５】ミッション３１内の前部では前後向きの作業出力軸３９とエンジン２９動力の伝動系統とを結合させる。そして作業出力軸３９にはベベルギヤ４０を介して横向き駆動軸４１を連動連結させる。
【００４６】上記横向き駆動軸４１の右端部にはクランク４２を形成する。また横向き駆動軸４１の中央にはウオーム４３を設け、これに噛み合わさせたウオームホイール４４を介して、横向き駆動軸４１と挟持搬送装置３用の駆動軸４５とを連動連結させる。
【００４７】この駆動軸４５は各挟持搬送要部１４の後側のプーリの中心軸４６、４６にチェーン伝動機構等を介して結合させ、また中心軸４６の回転が搬送ベルト１５を介して伝達される前側のプーリの中心軸４７を、掻込み装置２と茎葉下部補助送り装置１７のそれぞれにおける後側のプーリの中心軸４８、４８に連動連結させる。
【００４８】横向き駆動軸４１の右端部からは前後向き伝動筒ケース４９を延出させ、この伝動筒ケース４９内の前後向き駆動軸５０の後端と前記横向き駆動軸４１をベベルギヤ５１を介して結合させ、また前後向き駆動軸４１の前端と、縦向き引起こし装置５のタイン７を作動させるための上部スプロケット軸５２とをベベルギヤ５３を介して結合させる。
【００４９】また横向き駆動軸４１のクランク４２に前後向き連結ロッド５４の一端を結合させると共に、このロッド５４の他端を掘起こし刃１６の縦向き支持アーム部１６ｂの上端に結合させ、クランク４２による連結ロッド５４の前後変位が掘起こし刃１６に伝達されるようになす。
【００５０】さらに横向き駆動軸４１の適当箇所にベベルギヤ５５を設け、このベベルギヤ５５からスプライン結合による伸縮可能な前後向き回転軸５６を延出させ、この回転軸５６をユニバーサルジョイントによる折れ曲がり変位可能でスプライン結合による伸縮可能な伝動軸５７や、特定位置に固定された伝動ケース５８を介して円盤カッタ２０の回転中心軸に連動連結させる。ここに、前後向き回転軸５６は機体の左右何れの側に配置しても差し支えないものである。
【００５１】次に、上記のように構成した収穫機を使用して、マルチフィルムｍで被われた畝Ｕ上に植生した野菜ｗの一種である玉葱を収穫する際の作動について説明する。図１〜図３に示すように機体を畝Ｕの長手方向に沿わせ、左右の走行車輪２７、２７を一つの畝Ｕの左右の畝間溝ｎに位置させ、機体が畝Ｕを跨いだ状態とする。次に必要に応じて回転操作ハンドル３７を回転操作してゲージ輪２８を機体に対し上方へ変位させ、分草装置１、掻込み装置２、掘起こし刃１６、切刃体２３、円盤カッタ２０及び挟持搬送装置３を玉葱ｗの収穫処理に最適な高さとする。これにより、フィルム案内押さえ棒２４ａ、２４ｂ、２４ｃは収穫すべき２条分の野菜条列Ｒ１、Ｒ２の左右両側に位置し、縦向き引起こし装置５の下端部から挟持搬送装置３の茎葉挟持開始位置までの間で畝Ｕを被ったマルチフィルムｍをその最下部ｇ２、ｇｋ２で地面に近接させるように押さえ付けた状態となる。また各縦向き引起こし装置５のタイン７及びタインキャップ体１２はその移動軌跡の最下位置で畝Ｕを被ったマルチフィルムｍ上面に接し地面を押圧する状態となる。
【００５２】この後、各部を作動状態として機体を走行させる。機体の前進時、フィルム案内押さえ棒２４ａ、２４ｂ、２４ｃはマルチフィルムｍ上を前進するのであって、この進行中、円形フィルム案内体２４１や円弧状部ｇ１、ｇｋ１の存在によりフィルム案内押さえ棒２４ａ、２４ｂ、２４ｃがマルチフィルムｍに引っ掛かったりそれを突き破ったりすることは生じず、各縦向き引起こし装置５の下端部から挟持搬送装置３の茎葉挟持開始位置までの間で畝Ｕを被ったマルチフィルムｍ部分を常に安定的に地面に近接させる。この一方では各縦向き引起こし装置５のタイン７及びタインキャップ体１２がその移動軌跡の最下位置近傍に達し次々と起立姿勢となってフィルム案内押さえ棒２４ａ、２４ｂ、２４ｃの最下部ｇ１、ｇｋ１で地面に近接された状態のマルチフィルムｍ部分を押圧しつつ前上方へ回行移動する。この際、タインキャップ体１２は地面からの反力で図５等に示すように後方へ折れ曲がり、マルチフィルムｍ上面を滑り移動し、この移動中にマルチフィルムｍ上に倒伏している２条分の野菜条列Ｒ１、Ｒ２の茎葉部ｗ１を確実に掬い上げる。この後はタイン７及びタインキャップ体１２が掬い上げた茎葉部ｗ１を斜め後上方へ引き上げるように作用し、これにより各野菜条列Ｒ１、Ｒ２の茎葉部ｗ１は隣接する玉葱ｗ条列の茎葉部ｗ１との絡みを分離されつつ引き起こされる。
【００５３】このように処理された茎葉部ｗ１は機体の進行により掻込み装置２に到達するのであり、掻込み装置２は２条分の野菜条列Ｒ１、Ｒ２の茎葉部ｗ１を挟持搬送装置３の茎葉挟持開始位置に送り込む。挟持搬送装置３はその送り込まれた２条分の茎葉部ｗ１を茎葉挟持開始位置で同時に挟持し、続いて斜め後上方へ挟持搬送するものとなる。挟持搬送装置３により左右２条分の茎葉部ｗ１が茎葉挟持開始位置に挟持されるときは、これら左右の条列の茎葉部ｗ１、ｗ１は近接された状態となり、続いて後方へ移動されるが、このように移動される各条列Ｒ１、Ｒ２の茎葉部ｗ１、ｗ１は左右の誘導案内路１９ｂ、１９ｂの位置に適合してそれぞれの条列Ｒ１、Ｒ２に対応した誘導案内路１９ｂ、１９ｂ内にその周囲構成物（左右の誘導案内路の相互間部位ｐ１等）と無駄な衝突を起こすことなく進入する。
【００５４】一方では、切刃体２３が掘起こし刃１６の揺動に連動して前後及び上下揺動されて前方へ移動され、土との摩擦で回転し、マルチフィルムｍの巾中央を切り離し図１３に示すようにそれを左右に二分する。
【００５５】掘起こし刃１６は切刃体２３で切り離されたマルチフィルムｍ部分に形成された開口から土中に進入した状態となり、その刃部１６ａが収穫中の２条列Ｒ１、Ｒ２分の玉葱ｗの根部ｗ２の下方を前後及び上下へ揺動されつつ前進され２条分の根部ｗ２周辺の土を膨軟となす。この際、掘起こし刃１６の縦向きアーム部１６ｂは先に切刃体２３で形成されたマルチフィルムｍの開口内に位置しているためマルチフィルムｍと強く接触することなく、マルチフィルムｍの後処理を困難になすようなマルチフィルムｍの変形を生じさせるものとならない。
【００５６】挟持搬送装置３による茎葉部ｗ１の挟持搬送が進行するに伴って、茎葉部ｗ１は漸次上昇され、その根部ｗ２に上方への引張力が作用し、根部ｗ２は土中から徐々に上昇される。この際、マルチフィルムｍは根部ｗ２と共に地上に引き上げられるのであり、この根部ｗ２の引上げ初期ではマルチフィルムｍは図１３に示すようにフィルム案内押さえ棒２４ａ、２４ｂ、２４ｃで三カ所を地面に近接された状態に保持され、また根部ｗ２の引上げ後期ではこの根部ｗ２の左右のマルチフィルムｍ部分はもはや左右端側や中央のフィルム案内押さえ棒２４ａ、２４ｂ、２４ｃと接触していないため、これら押さえ棒２４ａ、２４ｂ、２４ｃによる過度な拘束は受けず、根部ｗ２は円滑に引き上げられて地中から抜き上げられる。この抜き上げ中、中央のフィルム案内押さえ棒２４ｃの傾斜部ｇｋ３は茎葉下部分草部材として重要な機能を奏するのであって、即ち、収穫中の２条列Ｒ１、Ｒ２の玉葱ｗを各条列Ｒ１、Ｒ２に分別した左右配置に保持する。
【００５７】この後、さらに挟持搬送装置３による茎葉部ｗ２の挟持搬送が進行すると、収穫中の各条列Ｒ１、Ｒ２の根部ｗ２は茎葉誘導案内体１９の下面に各条列Ｒ１、Ｒ２に分別された状態で到達し、茎葉下部補助送り装置１７から茎葉部ｗ１下部に付与される後方送り力で後方移動を補助されつつ、その対応する各誘導案内路１９ｂを通じて円盤カッタ２０へ向け移動される。
【００５８】各条列Ｒ１、Ｒ２の根部ｗ２が茎葉誘導案内体１９に達した後にもその茎葉部ｗ１は挟持搬送装置３により斜め後上方へ搬送されるようになり、この際、各条列Ｒ１、Ｒ２の根部ｗ２は茎葉誘導案内体１９よりも上方へ移動するのをこの茎葉誘導案内体１９のそれら根部ｗ２に対応した誘導案内路１９ｂで規制されるため、各条列Ｒ１、Ｒ２の茎葉部ｗ１は緊張状態となって円盤カッタ２０に達する。このような誘導案内路１９ｂ、１９ｂ内での玉葱ｗの移動中、玉葱ｗの根部ｗ２の上面は摺らし板１９ａに圧接されるが摺らし板１９ａの低摩擦性や良撓み性により玉葱ｗが損傷することは抑制されるのであり、また左右の誘導案内路１９ｂ、１９ｂが後方へ向かうに伴って漸次左右へ離反するため茎葉部ｗ１、ｗ１の後方移動に幾分大きな抵抗が作用するが、茎葉下部補助送り装置１７がその茎葉部ｗ１、ｗ１に後方送り力を付与するため茎葉部ｗ１、ｗ１は確実に且つ適正な速度で後方移動される。
【００５９】誘導案内路１９ｂ、１９ｂ内を移動される茎葉部ｗ１、ｗ１がカッタ２０に達した後は、その茎葉部ｗ１、ｗ１はカッタ２０の外周縁の鋸刃で茎葉部ｗ１下部を切断され根部ｗ２から分離される。この際、機体左側の誘導案内路１９ｂ内の茎葉部ｗ１はカッタ２０の回転方向との関連からカッタ２０による切断の際に茎葉下部補助送り装置１７の送り方向へ逃げるようになって切断され難い状態になろうとするが、茎葉受け部材ｋｓがこの茎葉部ｗ１の逃げを阻止するように受け止めるため、効率的に切断されるものとなる。
【００６０】上記した茎葉切断装置４による根部ｗ２の処理中、畝Ｕを被ったマルチフィルムｍは根部ｗ２の上側に存在し、根部ｗ２が機体後方へ搬送される程、根部ｗ２と一緒に漸次高く持ち上げられるようになる。このように持ち上げられたマルチフィルムｍ部分はこれよりも前方でフィルム案内押さえ棒２４ａ、２４ｂ、２４ｃが適当に地面上に押さえ付けるため、挟持搬送装置３や茎葉誘導案内体１９や茎葉下部補助送り装置１７等に絡
み付くものとならない。
【００６１】特に下側分岐棒ｇ４や横側分岐棒ｇ５を設けたことはマルチフィルムｍの押さえ込み作用を増大させてマルチフィルムｍの弛みを除去したり或いはマルチフィルムｍの押さえ込み位置や範囲を変更してその押さえ込み作用のバランスを向上させる上で寄与する。
【００６２】円盤カッタ２０で茎葉部ｗ１を切り離され自由状態となった根部ｗ２は直ちに畝Ｕ上に落下するのであり、一方、根部ｗ２から分離されたマルチフィルムｍは図１３に示すように集束ロッド２５で畝肩部や畝間溝ｎから剥ぎ取られ集束ローラ２６に案内されつつ収穫跡の畝Ｕ上に放置される。なお、集束ロッド２５は収穫作業開始時に手作業により畝肩部とこれを被ったマルチフィルムｍとの間に位置させるようになされる。
【００６３】畝Ｕ上の２条分の条列Ｒ１、Ｒ２の玉葱ｗが上記のように収穫処理された後は、機体を１８０度転向させて前とは反対向きに進行させて畝Ｕ上の残りの２条分の条列Ｒ３、Ｒ４の玉葱ｗを同様に収穫処理する。こうして収穫処理が終了した後、作業者は手作業によりマルチフィルムｍを除去し根部Ｗ２を拾い集める。
【００６４】上記使用中において、切刃体２３によるマルチフィルムｍの分断処理、挟持搬送装置３による根部ｗ２の引抜き処理、円盤カッタ２０による茎葉部ｗ１の切断処理、マルチフィルムｍの集束処理等が、フィルム案内押さえ棒２４ａ、２４ｂ、２４ｃによるマルチフィルムｍの拘束作用のアンバランス等により不安定となったり不適正となったりするときは、左右端側のフィルム案内押さえ棒２４ａ、２４ｂの高さを変更してそのアンバランスを修正するようにする。
【００６５】なお上記実施例では、タイン７にタインキャップ体１２を係着してタイン７の先部延長箇所を弾性変形可能となしたが、これに代えて、タイン７を長めとなしてその先部のみを弾性変形可能となすことも差し支えない。
【００６６】またマルチ栽培された玉葱Ｗを収穫する場合についての使用例を説明したが、これに限定するものではなく、無マルチ栽培された玉葱ｗ等であっても収穫することができる。この際、必要に応じてタインキャップ体１２をタイン７から外したり、各縦向き引起こし装置５の下部から従来同様に斜め前下方へ向け棒条のデバイダを延出させ、このデバイダにより、倒伏した茎葉部ｗ１を掬い上げて縦向き引き起こし装置５の引起こし作用部へ送り込ませるようにする。
【００６７】
【発明の効果】上記した本発明によれば、次のような効果が得られる。即ち、請求項１に記載したものによれば、玉葱等はその収穫時に高い位置まで上昇させないで済むようになるため、マルチ栽培された玉葱等であってもその抜き上げや茎葉切断処理を機械的に行うことができるようになる。そして、各誘導案内路がその対応する一つの条列の茎葉部を特定方向へ案内するため、茎葉部の姿勢を正確な一定姿勢として茎葉部の予定高さ位置をカッタにより正確に切断することができる。さらに左右一対の誘導案内路が後方へ向かう程、離反しているため、左右の誘導案内路の前端ではそれら誘導案内路間の距離を小さくできて挟持搬送装置により同時に挟持された２条分の茎葉部が誘導案内路の前端の相互間部位ｐ１と無駄な衝突を起こすのを防止することができ、また誘導案内路の後端寄り位置では２条分の茎葉部を各条列に分別した左右配置として左右に大きく離反させることにより左右の条列間の根部の衝突や接触を確実に阻止することができる。これにより、カッタによる茎葉部の切断処理の精度が向上するのである。
【００６８】請求項２に記載した発明によれば、茎葉下部補助送り装置で誘導案内路内を移動する茎葉部に後方送り力を付与してその後方への移動を適当速度で確実に行わせ、茎葉切断処理の精度を向上させることができる。
【００６９】請求項３に記載した発明によれば、隣接した２条分の野菜条列の茎葉部を起立させた状態で挟持搬送装置に挟持させ、野菜処理の精度を向上させることができる。そして、抜き上げられた各条列の玉葱等を誘導案内路に達するまで、茎葉下部分草部材２４ｃによりそれら玉葱等を各条列に分別した状態を確実に保持させることができる。また茎葉下部分草部材２４ｃの前端部が分草装置に固定されるため、茎葉下部分草部材２４ｃの
装着構造を簡易で剛性の大きいものとなすことができる。
【００７０】請求項４に記載した発明によれば、誘導案内路内の茎葉部がカッタによる切断時にその回転方向へ逃げるのを、茎葉受け部材に受け止めさせて、茎葉切断装置の切断性能及び精度を向上させることができる。
【００７１】請求項５に記載した発明によれば、誘導案内路を小さな上下寸法となし、しかも構造簡易で水平方向の剛性の大きいものとなすことができる。
【００７２】請求項６に記載した発明によれば、誘導案内路を小さな上下寸法となし、しかも構造簡易で水平方向の剛性の大きいものとなすことができるほか、茎葉部を誘導案内路内でその品質を損ねることなく円滑に後方移動させることができ、また摺らし板を軽量となして全体の軽量化に寄与でき、しかも摺らし板の交換を容易に行うことができる。
【図面の簡単な説明】
【図１】本発明に係る野菜収穫機の側面図である。
【図２】前記収穫機の平面図である。
【図３】前記収穫機の正面図である。
【図４】前記収穫機の動力系統図である。
【図５】前記収穫機の縦向き引起こし装置の下部を示す側面視作用説明図である。
【図６】前記縦向き引起こし装置のタイン関連部に係り、Ａは図５のｘーｘ部を示す図で、ＢはＡの側面図である。
【図７】前記収穫機の側面視説明図である。
【図８】前記収穫機の茎葉切断装置周辺を示す平面図である。
【図９】前記収穫機の左右端側のフィルム案内押さえ棒周辺を示す側面図である。
【図１０】前記収穫機の中央のフィルム案内押さえ棒周辺を示す側面図である。
【図１１】前記収穫機の茎葉誘導案内体の周辺を示す平面図である。
【図１２】前記収穫機のフィルム案内押さえ棒の作用状況を示す正面図である。
【図１３】前記収穫機によるマルチフィルムの処理状況を示す平面図である。
【符号の説明】
１  分草装置
２  掻込み装置
３  挟持搬送装置
４  茎葉切断装置
５  縦向き引起こし装置
１７  茎葉下部補助送り装置
１９  茎葉誘導案内体
１９ａ  摺らし板
１９ｂ  誘導案内路
２０  カッタ
２４ｂ  フィルム案内押さえ棒（茎葉下部分草部材）
Ｌ２  距離
Ｌ３  距離
Ｒ１  条列
Ｒ２  条列
Ｕ  畝
ｂ１  誘導案内路の巾
ｋｍ  切欠溝
ｋｓ  茎葉受け部材
ｍ  マルチフイルム
ｐ１  左右一対の誘導案内路の相互間部位
ｗ  野菜
ｗ１  茎葉部